(57)【特許請求の範囲】
【請求項１】
スピーカと、マイクと、スピーカ穴とマイク穴とが形成される外装部材とを備えた電子機器であって、
前記スピーカおよび前記マイクを一体的に保持し、前記外装部材に固定されることで、保持された前記スピーカを前記スピーカ穴に整合して配置するとともに、保持された前記マイクを前記マイク穴に整合して配置する保持部材と、
前記保持部材に形成され、前記保持部材が前記外装部材に固定される際に前記外装部材と密着して、前記マイクと前記マイク穴とを繋ぐ空間を前記外装部材の内側の他の空間から遮蔽する突条部と、
前記保持部材とは独立した別部材で形成され、前記保持部材が前記外装部材に固定される際に、前記保持部材と接触することなく、前記スピーカと前記スピーカ穴とを繋ぐ空間を前記外装部材の内側の前記他の空間から遮蔽する弾性部材と、
を有することを特徴とする電子機器。
【請求項２】
前記突条部は２重突条部に構成され、前記保持部材が前記外装部材に固定される際に、前記２重突条部に形成される溝に、前記外装部材の内側面に突設された突設部が嵌合することを特徴とする請求項１記載の電子機器。
【請求項３】
前記保持部材と前記弾性部材とは硬さが異なることを特徴とする請求項１または２記載の電子機器。
【請求項４】
前記スピーカ穴と前記マイク穴とは、前記外装部材の同一面に隣接して形成され、前記スピーカと前記マイクとは隣接して配設されていることを特徴とする請求項１〜３のいずれか１項に記載の電子機器。
【請求項５】
前記マイクは２つ設けられ、これら２つの前記マイクが前記スピーカの両側に配設されていることを特徴とする請求項４記載の電子機器。
【発明の詳細な説明】
【技術分野】
【０００１】
本発明は、スピーカとマイクとを備えた撮像装置等の電子機器に関する。
【背景技術】
【０００２】
従来、スピーカとマイクロフォンとを備えた電子機器が知られている。この種の電子機器では、スピーカ及びマイクロフォンをホルダで保持するものがある。
【０００３】
例えば、下記特許文献１の装置では、マイクロフォン用の保持部とスピーカ用の保持部とを一体成形した構造の部品ホルダを採用している。この部品ホルダによれば、部品を外れにくくすることにより組立性を向上させ、マイクロフォンとスピーカとを一度に取り付けることにより、組立を簡略化することができる。
【先行技術文献】
【特許文献】
【０００４】
【特許文献１】特開平９−２７１０９０号公報
【発明の概要】
【発明が解決しようとする課題】
【０００５】
しかしながら、上記特許文献１では、一体の部品ホルダでスピーカ及びマイクロフォンを保持することで組立性は向上するが、その部品ホルダだけではスピーカ及びマイクロフォンの遮音ができない。そのため、スピーカ及びマイクロフォンの遮音をそれぞれ別部品で行っている。その結果、部品点数が増えて部品コストが上昇し、組立工数も増加するという問題がある。
【０００６】
特に、小型の撮像装置のように、スピーカとマイクロフォンとが近接し隣接して配置されるような場合は、製造誤差や組み付け誤差によって、組み付け状態において互いに与える影響が大きくなるため、両者の遮音を共に確実に確保するのは容易でない。
【０００７】
本発明は上記従来技術の問題を解決するためになされたものであり、その目的は、音声出力部と音声入力部の組立性を向上させると共に、両者の遮音性を少ない部品にて確保することができる電子機器を提供することにある。
【課題を解決するための手段】
【０００８】
上記目的を達成するために本発明の電子機器は、スピーカと、マイクと、スピーカ穴とマイク穴とが形成される外装部材とを備えた電子機器であって、前記スピーカおよび前記マイクを一体的に保持し、前記外装部材に固定されることで、保持された前記スピーカを前記スピーカ穴に整合して配置するとともに、保持された前記マイクを前記マイク穴に整合して配置する保持部材と、前記保持部材に形成され、前記保持部材が前記外装部材に固定される際に前記外装部材と密着して、前記マイクと前記マイク穴とを繋ぐ空間を前記外装部材の内側の他の空間から遮蔽する突条部と、前記保持部材とは独立した別部材で形成され、前記保持部材が前記外装部材に固定される際に、前記保持部材と接触することなく、前記スピーカと前記スピーカ穴とを繋ぐ空間を前記外装部材の内側の前記他の空間から遮蔽する弾性部材と、を有することを特徴とする。
【発明の効果】
【０００９】
本発明によれば、スピーカとマイクの組立性を向上させると共に、両者の遮音性を少ない部品にて確保することができる。
【図面の簡単な説明】
【００１０】
【図１】本発明の第１の実施の形態に係るデジタルカメラの一部分の分解斜視図である。
【図２】デジタルカメラの一部分の分解斜視図である。
【図３】ＦＰＣと保持部材の分解斜視図である。
【図４】ＦＰＣと保持部材の分解斜視図である。
【図５】組み付けされたＦＰＣ及び保持部材の斜視図である。
【図６】フロントカバーにＦＰＣ、板金及び保持部材が組まれた状態を示す図１のＡ−Ａ線に沿う部分断面図である。
【図７】ＦＰＣとメイン配線基板との接続を示す図である。
【図８】ＦＰＣの配線を示す図、マイクの実装部の配線を示す拡大図である。
【図９】本発明の第２の実施の形態に係るデジタルカメラにおいて、フロントカバーにＦＰＣ、板金及び保持部材が組まれた状態を示す図１のＡ−Ａ線に沿う部分断面図である。
【発明を実施するための形態】
【００１１】
以下、本発明の実施の形態を図面を参照して説明する。
【００１２】
（第１の実施の形態）
図１、図２は、本発明の第１の実施の形態に係る電子機器としてのデジタルカメラの一部分の分解斜視図である。本実施の形態のデジタルカメラは、スピーカ１０２ａを備えると共に、一対のマイク１０２ｂ（左音声入力用マイク１０２ｂＬ及び右音声入力用マイク１０２ｂＲ）を備える。  図１、図２に示すように、フロントカバー１０１が、本デジタルカメラの外装部材の一部となる。製品としてのカメラとなったとき、通常、外装部材としてのフロントカバー１０１の上板部１１を上側として使用されるので、以降、上板部１１の表側、裏側の方向をそれぞれ上方、下方と呼称する。また、上板部１１の長手方向を左右方向と呼称する。従って、上板部１１のうち外装部材の外側面となる面が表面１０１ｈ（図１参照）で、外装部材の内側面となる面が裏面１０１ｇ（図２参照）である。
【００１３】
図１、図２では、主に、スピーカ１０２ａ及び一対のマイク１０２ｂの組み付けに関する構成部分を示している。図１は斜め上方、図２は斜め下方からの斜視図となる。フロントカバー１０１の内側において、フレキシブルプリント基板（以下、ＦＰＣ）１０２、ＦＰＣ１０２を固定する板金１０３、及び保持部材１０４が配設される。これらは、上板部１１の裏側において、上から保持部材１０４、ＦＰＣ１０２、板金１０３の順に積層状態で配設される。
【００１４】
保持部材１０４は、弾性部材で一体に形成され、スピーカ１０２ａとマイク１０２ｂＬ、１０２ｂＲとを一体的に保持する。本実施の形態では、保持部材１０４を構成する弾性部材の一例としてゴム素材が採用されるが、十分な弾性を有する弾性部材であれば種類は問わない。
【００１５】
図１に示すように、フロントカバー１０１の上板部１１には、スピーカ１０２ａから放出される音を外部に伝えるためのスピーカ穴１０１ａが形成されている。スピーカ穴１０１ａの左右方向両隣には、左音声入力用マイク１０２ｂＬ、右音声入力用マイク１０２ｂＲが外部から音を拾うためのマイク穴１０１ｂＬ、１０１ｂＲが、それぞれ形成されている。マイク穴１０１ｂＬ、１０１ｂＲは、スピーカ穴１０１ａを挟んでスピーカ穴１０１ａに隣接して配置され、左右一対となっている。スピーカ穴１０１ａ、マイク穴１０１ｂＬ、１０１ｂＲはいずれも、同一の面である表面１０１ｈに開口している。
【００１６】
フロントカバー１０１の上板部１１にはまた、不図示のレリーズボタンを組み付けるための凹部１０１ｃが形成される。該レリーズボタンの半押し操作により撮影準備動作（測光動作や焦点調節動作等）が開始され、全押し操作により撮影動作（不図示のＣＣＤ等の撮像素子への露光）が開始される。上板部１１にはまた、電源をオンオフするための電源ボタン（図示せず）の取り付け用の穴１０１ｄ、不図示のレンズをズーム操作するズームレバー（図示せず）の取り付け用の穴１０１ｅが形成される。
【００１７】
図２に示すように、上板部１１の裏面１０１ｇには、締結用穴１０１ｉを有するボスが３箇所に突設されている。また、板金１０３を位置決めするための突起部１０１ｆが２箇所に形成されている。
【００１８】
図１に示すように、ＦＰＣ１０２には、スピーカ１０２ａ、マイク１０２ｂＬ、１０２ｂＲのほか、レリーズスイッチ１０２ｃ、ズームスイッチ１０２ｅ、電源スイッチ１０２ｄが搭載される。ＦＰＣ１０２は、後述するメイン配線基板１０６（図７参照）と接続される。レリーズスイッチ１０２ｃ、ズームスイッチ１０２ｅは、２段階式のスイッチとなっている。マイク１０２ｂＬ、１０２ｂＲは、スピーカ１０２ａを挟んで左右両側に配置されている。マイク１０２ｂＬ、１０２ｂＲは、一対でステレオタイプのマイク構成となっていて、それぞれＬチャンネル用、Ｒチャンネル用である。ＦＰＣ１０２にはまた、板金１０３を位置決めするための位置決め用穴１０２ｆが形成されている。
【００１９】
スピーカ１０２ａ、マイク１０２ｂＬ、１０２ｂＲの位置は、フロントカバー１０１の上板部１１におけるスピーカ穴１０１ａ、マイク穴１０１ｂＬ、１０１ｂＲの位置にそれぞれ対応している。また、電源スイッチ１０２ｄ、ズームスイッチ１０２ｅ、レリーズスイッチ１０２ｃの位置は、上板部１１における穴１０１ｄ、穴１０１ｅ、凹部１０１ｃの位置にそれぞれ対応している。
【００２０】
図１に示すように、板金１０３には、複数（３つ）のビス貫通穴１０３ａ、複数（２つ）の位置決め用貫通穴１０３ｂ、及び、ピンカシメ部１０３ｃが形成されると共に、２つの絞り凸形状部１０３ｄが上側に突設形成されている。ビス貫通穴１０３ａ、位置決め用貫通穴１０３ｂの位置は、フロントカバー１０１の上板部１１における締結用穴１０１ｉ、突起部１０１ｆの位置に対応している。また、ピンカシメ部１０３ｃ、絞り凸形状部１０３ｄ、１０３ｄの位置は、ＦＰＣ１０２における位置決め用穴１０２ｆ、マイク１０２ｂＬ、１０２ｂＲの位置に対応している。
【００２１】
次のようにして、ＦＰＣ１０２及び板金１０３をフロントカバー１０１に組み付ける。まず、予め、ＦＰＣ１０２に各種部品を実装すると共に、ＦＰＣ１０２と保持部材１０４とを組み付けておく（図３〜図５で後述）。
【００２２】
そして、板金１０３にＦＰＣ１０２を組み付ける。その際には、ＦＰＣ１０２のスピーカ１０２ａが実装される側の板部１０２ｈ１に対して折り曲げ部１０２ｈ２を折り曲げ、板部１０２ｈ１と折り曲げ部１０２ｈ２とで板金１０３を上下から挟み込むようにして組み付ける。図１、図２では、折り曲げ部１０２ｈ２が折り曲げられた状態で示されている。また、板金１０３にＦＰＣ１０２を組み付ける際には、各ピンカシメ部１０３ｃが対応する位置決め用穴１０２ｆに挿通されるようにする。これにより、板金１０３とＦＰＣ１０２との位置決めがなされる。さらに、ＦＰＣ１０２と板金１０３とは、不図示の両面テープで固定される。
【００２３】
そして、ＦＰＣ１０２及び板金１０３を合わせたものを、フロントカバー１０１の上板部１１に裏側から配設する。その際、上板部１１の突起部１０１ｆが、位置決め用貫通穴１０３ｂに対応するＦＰＣ１０２の貫通穴と板金１０３の位置決め用貫通穴１０３ｂとに挿通されるようにする。突起部１０１ｆと位置決め用貫通穴１０３ｂとの係合により、フロントカバー１０１と板金１０３との位置決めがなされる。
【００２４】
その後、板金１０３の下方から、３つのビス１０５を、板金１０３のビス貫通穴１０３ａ、及びビス貫通穴１０３ａに対応するＦＰＣ１０２の貫通穴に挿通し、フロントカバー１０１の上板部１１における締結用穴１０１ｉに螺合する。これにより、ＦＰＣ１０２と板金１０３とがフロントカバー１０１に固定される。
【００２５】
次に、ＦＰＣ１０２と保持部材１０４の組立方法について説明する。図３、図４は、ＦＰＣ１０２と保持部材１０４の分解斜視図である。図５は、組み付けされたＦＰＣ１０２及び保持部材１０４の斜視図である。
【００２６】
ＦＰＣ１０２は片面実装タイプのプリント基板であり、スピーカ１０２ａが実装される側の板部１０２ｈ１に対して、折り曲げ部１０２ｈ２が折り返される。スピーカ１０２ａの音声出力面とマイク１０２ｂＬ、１０２ｂＲの音声入力面とは同じ向きで且つ上側を向くようになっている。
【００２７】
スピーカ１０２ａの上部には、保持部材１０４とは独立した「別部材」である円筒形状の弾性部材１０２ａａが予め貼り付け等によって固着されている（図３参照）。固着の態様は問わない。弾性部材１０２ａａは、弾性を有する素材でなり、衝撃吸収性が高いものが好ましい。一例として、ＰＯＲＯＮ（登録商標）が採用される。また、弾性部材１０２ａａは、保持部材１０４と同じ素材でもよいが、好ましくは、保持部材１０４とは硬さが異なる素材を採用する。
【００２８】
保持部材１０４の、マイク１０２ｂＬ、１０２ｂＲに対応する部分の上部には、マイク１０２ｂＬ、１０２ｂＲの音声入力面の開口を囲うように、平面視略四角形で囲み形状（枠状）の突条部１０４ｃが２重に設けられている（図３参照）。突条部１０４ｃは、Ｌチャンネル用、Ｒチャンネル用それぞれに形成されている。
【００２９】
保持部材１０４には、スピーカ１０２ａを保持部材１０４の下側から組み付けできるように開口１０４ａが形成されている（図３、図４参照）。下方から開口１０４ａにスピーカ１０２ａを押し込むようにして組み付ける。また、保持部材１０４には、マイク１０２ｂＬ、１０２ｂＲを保持部材１０４の下側から組み付けできるように開口１０４ｂが開いている（図４参照）。下方から開口１０４ｂにマイク１０２ｂＬ、１０２ｂＲを押し込むように組み付ける。
【００３０】
図６は、フロントカバー１０１にＦＰＣ１０２、板金１０３及び保持部材１０４が組まれた状態を示す図１のＡ−Ａ線に沿う部分断面図である。
【００３１】
まず、保持部材１０４にスピーカ１０２ａとマイク１０２ｂＬ、１０２ｂＲとを組み付けると、図５に示すようになる。図６に示すように、弾性部材１０２ａａは、開口１０４ａから上方に突出するようなる。突条部１０４ｃの上端は、保持部材１０４のうち最も高い位置となり、且つ、突条部１０４ｃと弾性部材１０２ａａの上端位置はほぼ同じとなる。
【００３２】
また、図６に示すように、スピーカ１０２ａは開口１０４ａに保持される。開口１０４ｂは、上下方向に複数の段差を有して形成され、マイク１０２ｂＬ、１０２ｂＲは、開口１０４ｂのうち最も下側の下側開口１０４ｂ１よりも上の部分に保持される。従って、スピーカ１０２ａ及び一対のマイク１０２ｂが包まれるように、保持部材１０４に一体的に保持される。
【００３３】
フロントカバー１０１にＦＰＣ１０２、板金１０３及び保持部材１０４が組み付けられる際、保持部材１０４がフロントカバー１０１の上板部１１に押圧されるように組まれることになる。そのため、図６に示すように、保持部材１０４のうち最も高さが高い突条部１０４ｃが、そのゴム素材の弾性力により変形し、上板部１１の裏面１０１ｇに全周で密着する。これにより、マイク穴１０１ｂＬとマイク１０２ｂＬの上面１０２ｂ１Ｌとに繋がる空間Ｓ１Ｌが、フロントカバー１０１の内側における他の空間Ｓ０から画設され遮蔽される。さらに、マイク穴１０１ｂＲとマイク１０２ｂＲの上面１０２ｂ１Ｒとに繋がる空間Ｓ１Ｒも、他の空間Ｓ０から画設され遮蔽される。空間Ｓ１Ｌ、Ｓ１Ｒは、マイク穴１０１ｂＬ、１０１ｂ及びマイク１０２ｂを除けば密閉状態となる。従って、マイク１０２ｂの遮音性が確保される。特に、突条部１０４ｃが２重であるので、フロントカバー１０１との密着性が高く、マイク１０２ｂの音声入力特性を良好にすることができる。
【００３４】
本実施の形態では突条部１０４ｃを２重構成としたが、密着性を確保できる形状であれば、この形状に限らない。例えば、２重ではなく単一の囲み形状にして、突条の幅を広く、上記２重にしたのと同じ程度にしても良い。また、２重ではなく、３重やそれ以上としてもよい。
【００３５】
一方、フロントカバー１０１にＦＰＣ１０２、板金１０３及び保持部材１０４が組み付けられる際、保持部材１０４の開口１０４ａから突出している弾性部材１０２ａａも、フロントカバー１０１の上板部１１に押圧される。そのため、図６に示すように、弾性部材１０２ａａは、その弾性によって変形し、上板部１１の裏面１０１ｇに全周で密着する。これにより、スピーカ穴１０１ａとスピーカ１０２ａの上面１０２ａ１とに繋がる空間Ｓ２が、フロントカバー１０１の内側における他の空間Ｓ０から画設され遮蔽され、空間Ｓ１Ｌ、Ｓ１Ｒに対しても遮蔽状態となる。空間Ｓ２は、スピーカ穴１０１ａ及びスピーカ１０２ａを除けば密閉状態となる。従って、スピーカ１０２ａの遮音性が確保され、外装内部の騒音やマイク１０２ｂの音を拾いにくくなる。
【００３６】
ところで、板金１０３を組み付けたＦＰＣ１０２に保持部材１０４を組み付けることで、上述したように、マイク１０２ｂＬ、１０２ｂＲは、開口１０４ｂに保持される。それに伴って、板金１０３の各絞り凸形状部１０３ｄが、マイク１０２ｂＬの下面１０２ｂ２Ｌ、マイク１０２ｂＲの下面１０２ｂ２Ｒに当接すると共に、対応する開口１０４ｂの下側開口１０４ｂ１を塞ぐようになっている（図６参照）。これにより、スピーカ１０２ａが外装内部の騒音を一層拾いにくくなる。
【００３７】
図７はＦＰＣ１０２とメイン配線基板１０６との接続を示す図である。図８（ａ）は、ＦＰＣ１０２の配線を示す図、図８（ｂ）は、マイク１０２ｂＬ、１０２ｂＲの実装部の配線を示す拡大図である。
【００３８】
図７に示すように、メイン配線基板１０６には、オーディオＩＣ１０６ａを含むオーディオ回路ブロック１０６ｂが実装されている。メイン配線基板１０６とＦＰＣ１０２とは基板間コネクタ１０２ｇで接続されている。音声はマイク１０２ｂＬ、１０２ｂＲにより電気信号として取り込まれる。オーディオ回路ブロック１０６ｂは、マイク１０２ｂＬ、１０２ｂＲより出力される電気信号を増幅させるマイクアンプを有している。
【００３９】
オーディオ回路ブロック１０６ｂ内においては、マイクアンプより出力されるアナログ電気信号がＡ／Ｄ変換部でデジタル信号に変換され、デジタル信号となった音声データが記録される。Ａ／Ｄ変換部から送られてくるデジタル信号が音声信号処理部で加工、変換され、処理されたデジタル信号がＤ／Ａ変換部でアナログ信号に変換される。Ｄ／Ａ変換部から送られてくるアナログ信号が音声出力アンプで増幅され、音声出力アンプで増幅されたアナログ信号がスピーカ１０２ａや不図示のオーディオケーブルから出力される。
【００４０】
マイク１０２ｂＬ、１０２ｂＲはシリコンマイクであり、ＦＰＣ１０２上に実装されている。マイク１０２ｂＬ、１０２ｂＲは４つの端子を有し、半田による実装によりＦＰＣ１０２上のパターンと接続される。ＦＰＣ１０２は片面フレキシブルプリント基板であり、ポリイミドからなるベースフィルム上に銅パターンが配線され、その表面を同じくポリイミドからなるカバーレイで覆う構成となっている。
【００４１】
マイク１０２ｂＬ、１０２ｂＲの配線について説明する。図８（ｂ）に示すように、マイク１０２ｂＬには、グランド信号線２０１、出力信号線２０２が接続される。マイク１０２ｂＬとマイク１０２ｂＲとに、それらを駆動するための電源信号線２０３が接続される。マイク１０２ｂＲには、グランド信号線２０４、出力信号線２０５が接続される。これらの信号線はマイク１０２ｂＬ、１０２ｂＲの端子に半田により接続されている。これらの端子には、マイク１０２ｂＬのグランド信号端子２０１ａ、２０１ｂ、出力信号端子２０２ａ、電源信号端子２０３ａが該当する。さらには、マイク１０２ｂＲのグランド信号端子２０４ａ、２０４ｂ、出力信号端子２０５ａ、電源信号端子２０３ｂが該当する。
【００４２】
図８（ａ）、（ｂ）に示すように、スピーカ１０２ａ用の配線として、スピーカ１０２ａのプラス側信号線２０６、マイナス側信号線２０７が設けられる。図８（ａ）に示すように、スピーカ１０２ａには半田付け箇所２０８においてＦＰＣ１０２が直接半田付けされている。ＦＰＣ１０２の貼着部２０８ａはスピーカ１０２ａに両面テープで貼り付けられており、スピーカ１０２ａに組立作業中等に負荷がかかった場合にでも半田付け箇所２０８に負荷を与えない構成になっている。
【００４３】
操作系信号線群２０９には、電源スイッチ１０２ｄ、レリーズスイッチ１０２ｃ、ズームスイッチ１０２ｅの各信号線が含まれる。スピーカ１０２ａ、マイク１０２ｂＬ、１０２ｂＲの各信号線が円形に露出したものがチェックパッド群２１０である。チェックパッド群２１０は、プローブを当てることでスピーカ１０２ａ、マイク１０２ｂＬ、１０２ｂＲの各信号を検出し、ユニット組み付け状態において実装不良による断線がないかを確認できる。また、ステレオマイクの左右のマイク１０２ｂＬ、１０２ｂＲに規定値以上の感度差がないかをチェックすることができる。スピーカ１０２ａが複数有ってステレオスピーカを構成している場合には、左右の音圧レベルの調整も行うことができる。チェックパッドを備えることで組ばらしを行うことなく、調整が可能となる。
【００４４】
図８（ｂ）に示すように、スピーカ１０２ａとマイク１０２ｂＬ、１０２ｂＲに関する各信号線は並設されている。しかし、スピーカ１０２ａのプラス側信号線２０６の隣の信号線がマイク１０２ｂＬのグランド信号線２０１となっていることで、マイク１０２ｂＬの出力信号線２０２にスピーカ１０２ａの信号のノイズが重畳することが回避されている。
【００４５】
また、電源信号線２０３を出力信号線２０２と出力信号線２０５との間に配線することによって、出力信号同士が影響し合うのを防いでいる。また、電源信号線２０３は左右のマイクに対して共通の電源供給線となっているので、左右それぞれの出力信号線２０２と出力信号線２０５の中心に這いまわすことで、片面フレキシブルプリント基板においても配線しやすくするなっている。また、片面フレキシブルプリント基板においても電源を共有化させることで、メイン配線基板１０６へ接続する際の基板間コネクタ１０２ｇのピン数を削減することができコスト削減となる。
【００４６】
グランド信号線２０４は、操作系からの静電気等のノイズが重畳するのを防ぐ。グランド信号線２０１とグランド信号線２０４とは同一面上に配線され、これらは外部からのノイズの混入を防ぐ。
【００４７】
スピーカ１０２ａは、組み付け時に図８（ａ）に示す折り返し位置Ｌ１で折り返される。折り返すことによってスピーカ１０２ａをマイク１０２ｂＬ、１０２ｂＲの間に配置することができる。折り返しが設けられることによって保持部材１０４にスピーカ１０２ａを組み付ける際にＦＰＣ１０２に余裕ができるため組みつけがしやすい。また、スピーカ１０２ａとマイク１０２ｂＬ、１０２ｂＲとを一度に組み付ける必要がなく、マイク１０２ｂＬ、１０２ｂＲを組み付けた後に、ＦＰＣ１０２を折り返してからスピーカ１０２ａを組み付ければよいため、ＦＰＣ１０２における断線を抑制できる。
【００４８】
このように配線されているので、スピーカ１０２ａやそのほかの操作系が実装されたＦＰＣ１０２において、出力信号線２０２、２０５へのノイズの重畳を抑えながら片面フレキシブルプリント基板として構成することができる。これにより、コストダウンにつながり、組立性も向上させることができる。
【００４９】
このように、本実施の形態では、フロントカバー１０１の上板部１１の裏面１０１ｇに対するスピーカ１０２ａの密着とマイク１０２ｂの密着とを、各々別体の部品を介して行なっている。これにより、互いの組付け状態に拘わらずフロントカバー１０１との密着を確実に行なうことが可能である。仮にいずれも、一体の同一部材（例えば、保持部材１０４）でフロントカバー１０１と密着させるような構造を採用した場合、次のような不都合が想定される。例えば、マイク１０２ｂＬ、１０２ｂＲが傾いて取り付けられ、マイク１０２ｂＬ、１０２ｂＲの周りの保持部材１０４の部分がフロントカバー１０１と十分に密着できないことが生じ得る。そうなると、スピーカ１０２ａの周りの保持部材１０４の部分もフロントカバー１０１に十分に密着できない可能性がある。
【００５０】
本実施の形態のように、スピーカ１０２ａ及びマイク１０２ｂの遮音を一体部品で行なうのではなく、別々の部材で遮音することにより、各々の製造誤差や組み付け誤差によって、組み付け状態において互いに与える影響が小さくなる。また、別部材で遮蔽するので、互いの振動が直接的には伝わらないという利点もある。従って、各々の組み付け状態に依存すること無く遮音が可能になり、音質向上が実現される。
【００５１】
本実施の形態によれば、スピーカ１０２ａとマイク１０２ｂとが、一体の保持部材１０４で保持されるので、別々に保持するよりも組立工数が減り、それらの組立性を向上させることができる。また、マイク１０２ｂの遮音に関しては、弾性のある保持部材１０４自身の一部である突条部１０４ｃによって行うので、遮音専用の部材を設ける必要がなく、部品点数が削減されコスト低下に繋がる。よって、スピーカ１０２ａとマイク１０２ｂの組立性を向上させると共に、両者の遮音性を少ない部品にて確保することができる。
【００５２】
また、弾性部材１０２ａａと保持部材１０４とで硬さを異ならせることで、製造誤差や組み付け誤差による互いの変形が伝わりにくくなり、弾性部材１０２ａａ乃至突条部１０４ｃの密着不良が生じにくくなる。これにより、スピーカ１０２ａとマイク１０２ｂの組立性や遮音性を一層向上させることができる。
【００５３】
また、マイク穴１０１ｂＬ、スピーカ穴１０１ａ、マイク穴１０１ｂＲは隣接して表面１０１ｈに開口し、これらに対応して、マイク１０２ｂＬ、１０２ｂＲは、スピーカ１０２ａを挟んで両側に配置されている。このように、近接し隣接して配置される構成要素は、通常、組み付け状態において互いに与える影響が大きく、音の影響も大きい。従って、本発明はこのような配置のものに特に効果が大きい。
【００５４】
（第２の実施の形態）
本発明の第２の実施の形態では、第１の実施の形態に比し、保持部材１０４の突条部１０４ｃとフロントカバー１０１の上板部１１の裏面１０１ｇとの当接係合する部分の構成が異なる。その他の構成は第１の実施の形態と同じであるので、異なる構成部分を中心に説明する。
【００５５】
図９は、第２の実施の形態に係る電子機器としてのデジタルカメラにおいて、フロントカバー１０１にＦＰＣ１０２、板金１０３及び保持部材１０４が組まれた状態を示す図１のＡ−Ａ線に沿う部分断面図である。
【００５６】
図９に示すように、２重となっている各突条部１０４ｃの間には、溝１０４ｄが、第１の実施の形態のものよりも深く形成されている。溝１０４ｄは全周に亘って形成される。フロントカバー１０１の上板部１１の裏面１０１ｇの、各溝１０４ｄに対応する位置には、突設部１０１ｊがそれぞれ突設形成されている。突設部１０１ｊも溝１０４ｄと同様に略四角形の囲み形状（枠状）である。
【００５７】
フロントカバー１０１にＦＰＣ１０２、板金１０３及び保持部材１０４が組み付けられ、突条部１０４ｃが裏面１０１ｇに密着する際、突設部１０１ｊが対応する溝１０４ｄに入り込んで嵌合される。これにより、突条部１０４ｃ及び溝１０４ｄが裏面１０１ｇに密着する度合いが高まるので、空間Ｓ１Ｌ、Ｓ１Ｒの遮蔽状態が高まる。従って、本実施の形態によれば、マイク１０２ｂＬ、１０２ｂＲの音質を一層向上させることが可能となる。突設部１０１ｊは、フロントカバー１０１に一体に形成可能であるので、部品点数が増えることもない。
【００５８】
なお、上記各実施の形態において、突条部１０４ｃに採用した２重構造は、弾性部材１０２ａａの上部にも採用してもよい。また、第２の実施の形態における溝１０４ｄと突設部１０１ｊとが嵌合する構成を、弾性部材１０２ａａの上部にも採用してもよい。
【００５９】
また、弾性部材１０２ａａは、必ずしもスピーカ１０２ａに固着しなくてもよく、フロントカバー１０１の上板部１１とスピーカ１０２ａとの間に介在すればよい。例えば、上板部１１の裏面１０１ｇに固着してもよい。
【００６０】
また、上記各実施の形態では、マイク１０２ｂの遮音に関しては保持部材１０４自身の一部である突条部１０４ｃを用いて行い、スピーカ１０２ａの遮音に関しては保持部材１０４とは別体の弾性部材１０２ａａを介して行った。しかしこれに限るものでなく、これとは反対の関係にしてもよい。すなわち、保持部材１０４において、スピーカ１０２ａの周りに、マイク１０２ｂより突出した突条部１０４ｃに相当する肉部を設ける。一方、マイク１０２ｂとフロントカバー１０１の上板部１１との間には、マイク１０２ｂを囲むと共に上板部１１に密着する弾性部材１０２ａａに相当する別部材を介在させる。
【００６１】
結局、マイク１０２ｂ及びスピーカ１０２ａのいずれか一方とそれに対応する空間を保持部材１０４によって他の空間Ｓ０から遮蔽する。それと共に、マイク１０２ｂ及びスピーカ１０２ａのいずれか他方とそれに対応する空間を、保持部材１０４とは異なり弾性を有する別部材によって他の空間Ｓ０から遮蔽すればよい。
【００６２】
なお、スピーカ１０２ａとマイク１０２ｂの組立性を向上させると共に、両者の遮音性を少ない部品にて確保する効果に限れば、スピーカ１０２ａやマイク１０２ｂの数は問わず、例えば、マイク１０２ｂは１個でもよい。
【００６３】
なお、本発明は、デジタルカメラに限らず、スピーカ及びマイクを備える各種の電子機器に適用が可能である。
【００６４】
以上、本発明をその好適な実施の形態に基づいて詳述してきたが、本発明はこれら特定の実施の形態に限られるものではなく、この発明の要旨を逸脱しない範囲の様々な形態も本発明に含まれる。上述の実施の形態の一部を適宜組み合わせてもよい。
【符号の説明】
【００６５】
１０１  フロントカバー
１０１ａ  スピーカ穴
１０１ｂＬ、１０１ｂＲ  マイク穴
１０２ａ  スピーカ
１０２ｂ  マイク
１０２ａａ  弾性部材
１０４  保持部材
１０４ｃ  突条部
【図１】
0005562056.tif 000002
【図２】
0005562056.tif 000003
【図３】
0005562056.tif 000004
【図４】
0005562056.tif 000005
【図５】
0005562056.tif 000006
【図６】
0005562056.tif 000007
【図７】
0005562056.tif 000008
【図８】
0005562056.tif 000009
【図９】
0005562056.tif 000010